【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  複数のセンサユニットとこれらのセンサユニットとシリアル伝送路により接続される制御部とからなる検知装置において、
上記センサユニットが、
検知対象物から得られる種々の物理特性情報の中の１つを得る取得手段と、この取得手段により取得した検知対象物単位の物理特性情報を記憶する記憶手段と、上記取得手段により検知対象物ごとに得られる物理特性情報により検知対象物を判定した第１の判定結果あるいはリジェクト等の不確定結果を上記物理特性情報よりも少ない情報量で出力する第１の判定手段と、上記制御部から供給される上記記憶手段による物理特性情報の記憶の終了要求に基づいて上記記憶手段による物理特性情報の記憶を終了する終了手段と、上記制御部から供給される不確定結果に対応する検知対象物の物理特性情報の送信要求に基づいて上記記憶手段に記憶されている不確定結果に対応する検知対象物の物理特性情報を上記制御部へ送信する送信手段とを有し、
上記制御部が、
上記複数のセンサユニットからの検知対象物ごとの複数の第１の判定結果により対応する検知対象物を総合判定した第２の判定結果を出力する第２の判定手段と、上記複数のセンサユニットの少なくとも１つからリジェクト等の不確定結果が供給されたことを判断する判断手段と、この判断手段により不確定結果の供給が判断された際に、上記各センサユニットに上記記憶手段による物理特性情報の記憶の終了を要求する第１の要求手段と、上記各センサユニットに上記記憶手段に記憶されている不確定結果に対応する検知対象物の物理特性情報の送信を要求する第２の要求手段と、この第２の要求手段に応答して上記各センサユニットから供給される検知対象物の物理特性情報を蓄積する蓄積手段とを有する、
ことを特徴とする検知装置。
【請求項２】  上記検知対象物をインデックスコードにより管理し、
上記第１の判定手段による第１の判定結果あるいはリジェクト等の不確定結果を出力する際に、インデックスコードを付与し、
上記記憶手段により検知対象物単位の物理特性情報を記憶する際に、インデックスコードを付与し、
上記第１の要求手段による物理特性情報の記憶の終了を要求する際に、インデックスコードを付与し、
上記第２の要求手段による不確定結果に対応する検知対象物の物理特性情報の送信を要求する際に、インデックスコードを付与する
ことを特徴とする請求項１に記載の検知装置。
【請求項３】  上記取得手段は、物理特性として検知対象物のイメージの画像パターン、検知対象物上の光情報としての赤外、紫外、可視光情報、検知対象物の厚さ情報、検知対象物を分割して検知した検知結果の隣同士の差分を取って蓄積した情報のいずれかを取得する手段を有することを特徴とする請求項１に記載の検知装置。
【請求項４】  搬送路上を搬送される検知対象物に対する検知処理を行う複数のセンサユニットとこれらのセンサユニットとシリアル伝送路により接続される制御部とからなる検知装置において、
上記センサユニットが、
上記搬送路により搬送される検知対象物から得られる種々の物理特性情報の中の１つを得る取得手段と、この取得手段により取得した検知対象物単位の物理特性情報を記憶する記憶手段と、上記取得手段により検知対象物ごとに得られる物理特性情報により検知対象物を判定した第１の判定結果あるいはリジェクト等の不確定結果を上記物理特性情報よりも少ない情報量で出力する第１の判定手段と、上記制御部から供給される上記記憶手段による物理特性情報の記憶の終了要求に基づいて上記記憶手段による物理特性情報の記憶を終了する終了手段と、上記制御部から供給される不確定結果に対応する検知対象物の物理特性情報の送信要求に基づいて上記記憶手段に記憶されている不確定結果に対応する検知対象物の物理特性情報を上記制御部へ送信する送信手段とを有し、
上記制御部が、
上記複数のセンサユニットからの検知対象物ごとの複数の第１の判定結果により対応する検知対象物を総合判定した第２の判定結果を出力する第２の判定手段と、上記複数のセンサユニットの少なくとも１つからリジェクト等の不確定結果が供給されたことを判断する判断手段と、この判断手段により不確定結果の供給が判断され、この不確定結果に対応する検知対象物が上記センサユニットの全てを通過した後、上記各センサユニットに上記記憶手段による物理特性情報の記憶の終了を要求する第１の要求手段と、上記搬送路によって搬送される検知対象物がなくなった際に、上記各センサユニット記憶手段に記憶されている不確定結果に対応する検知対象物の物理特性情報の送信を要求する第２の要求手段と、この第２の要求手段に応答して上記各センサユニットから供給される検知対象物の物理特性情報を蓄積する蓄積手段とを有する、
ことを特徴とする検知装置。
【請求項５】  上記検知対象物をインデックスコードにより管理し、
上記第１の判定手段による第１の判定結果あるいはリジェクト等の不確定結果を出力する際に、インデックスコードを付与し、
上記記憶手段により検知対象物単位の物理特性情報を記憶する際に、インデッ
クスコードを付与し、
上記第１の要求手段による物理特性情報の記憶の終了を要求する際に、インデックスコードを付与し、
上記第２の要求手段による不確定結果に対応する検知対象物の物理特性情報の送信を要求する際に、インデックスコードを付与する
ことを特徴とする請求項４に記載の検知装置。
【請求項６】  複数のセンサユニットとこれらのセンサユニットとシリアル伝送路により接続される制御部とからなる検知装置において、
上記センサユニットが、
検知対象物から得られる種々の物理特性情報の中の１つを得る取得手段と、
この取得手段により検知対象物ごとに得られる物理特性情報により検知対象物を判定した第１の判定結果あるいはリジェクト等の不確定結果を上記物理特性情報よりも少ない情報量で出力する第１の判定手段と、上記制御部から供給される物理特性情報の記憶要求に基づいて上記不確定結果に対応する検知対象物の物理特性情報を少なくとも１つ記憶する記憶手段と、上記制御部から供給される不確定結果に対応する検知対象物の物理特性情報の送信要求に基づいて上記記憶手段に記憶されている不確定結果に対応する検知対象物の物理特性情報を上記制御部へ送信する送信手段とを有し、
上記制御部が、
上記複数のセンサユニットからの検知対象物ごとの複数の第１の判定結果により対応する検知対象物を総合判定した第２の判定結果を出力する第２の判定手段と、上記複数のセンサユニットの少なくとも１つからリジェクト等の不確定結果が供給されたことを判断する判断手段と、この判断手段により不確定結果の供給が判断された際に、上記各センサユニットに上記物理特性情報の記憶を要求する第１の要求手段と、上記各センサユニットに不確定結果に対応する検知対象物の物理特性情報の送信を要求する第２の要求手段と、この第２の要求手段に応答して上記各センサユニットから供給される検知対象物の物理特性情報を蓄積する蓄積手段とを有する、
ことを特徴とする検知装置。
【請求項７】  上記検知対象物をインデックスコードにより管理し、
上記第１の判定手段による第１の判定結果あるいはリジェクト等の不確定結果を出力する際に、インデックスコードを付与し、
上記記憶手段により検知対象物単位の物理特性情報を記憶する際に、インデックスコードを付与し、
上記第１の要求手段による物理特性情報の記憶の終了を要求する際に、インデックスコードを付与し、
上記第２の要求手段による不確定結果に対応する検知対象物の物理特性情報の送信を要求する際に、インデックスコードを付与する
ことを特徴とする請求項６に記載の検知装置。
【手続補正２】
【補正対象書類名】明細書
【補正対象項目名】００１１
【補正方法】変更
【補正の内容】
【００１１】
【課題を解決するための手段】
この発明の検知装置は、複数のセンサユニットとこれらのセンサユニットとシリアル伝送路により接続される制御部とからなるものにおいて、上記センサユニットが、検知対象物から得られる種々の物理特性情報の中の１つを得る取得手段と、この取得手段により取得した検知対象物単位の物理特性情報を記憶する記憶手段と、上記取得手段により検知対象物ごとに得られる物理特性情報により検知対象物を判定した第１の判定結果あるいはリジェクト等の不確定結果を上記物理特性情報よりも少ない情報量で出力する第１の判定手段と、上記制御部から供給される上記記憶手段による物理特性情報の記憶の終了要求に基づいて上記記憶手段による物理特性情報の記憶を終了する終了手段と、上記制御部から供給される不確定結果に対応する検知対象物の物理特性情報の送信要求に基づいて上記記憶手段に記憶されている不確定結果に対応する検知対象物の物理特性情報を上記制御部へ送信する送信手段とを有し、上記制御部が、上記複数のセンサユニットからの検知対象物ごとの複数の第１の判定結果により対応する検知対象物を総合判定した第２の判定結果を出力する第２の判定手段と、上記複数のセンサユニットの少なくとも１つからリジェクト等の不確定結果が供給されたことを判断する判断手段と、この判断手段により不確定結果の供給が判断された際に、上記各センサユニットに上記記憶手段による物理特性情報の記憶の終了を要求する第１の要求手段と、上記各センサユニットに上記記憶手段に記憶されている不確定結果に対応する検知対象物の物理特性情報の送信を要求する第２の要求手段と、この第２の要求手段に応答して上記各センサユニットから供給される検知対象物の物理特性情報を蓄積する蓄積手段とを有するものである。
【手続補正３】
【補正対象書類名】明細書
【補正対象項目名】００１２
【補正方法】変更
【補正の内容】
【００１２】
この発明の検知装置は、搬送路上を搬送される検知対象物に対する検知処理を行う複数のセンサユニットとこれらのセンサユニットとシリアル伝送路により接続される制御部とからなるものにおいて、上記センサユニットが、上記搬送路により搬送される検知対象物から得られる種々の物理特性情報の中の１つを得る取得手段と、この取得手段により取得した検知対象物単位の物理特性情報を記憶する記憶手段と、上記取得手段により検知対象物ごとに得られる物理特性情報により検知対象物を判定した第１の判定結果あるいはリジェクト等の不確定結果を上記物理特性情報よりも少ない情報量で出力する第１の判定手段と、上記制御部から供給される上記記憶手段による物理特性情報の記憶の終了要求に基づいて上記記憶手段による物理特性情報の記憶を終了する終了手段と、上記制御部から供給される不確定結果に対応する検知対象物の物理特性情報の送信要求に基づいて上記記憶手段に記憶されている不確定結果に対応する検知対象物の物理特性情報を上記制御部へ送信する送信手段とを有し、上記制御部が、上記複数のセンサユニットからの検知対象物ごとの複数の第１の判定結果により対応する検知対象物を総合判定した第２の判定結果を出力する第２の判定手段と、上記複数のセンサユニットの少なくとも１つからリジェクト等の不確定結果が供給されたことを判断する判断手段と、この判断手段により不確定結果の供給が判断され、この不確定結果に対応する検知対象物が上記センサユニットの全てを通過した後、上記各センサユニットに上記記憶手段による物理特性情報の記憶の終了を要求する第１の要求手段と、上記搬送路によって搬送される検知対象物がなくなった際に、上記各センサユニット記憶手段に記憶されている不確定結果に対応する検知対象物の物理特性情報の送信を要求する第２の要求手段と、この第２の要求手段に応答して上記各センサユニットから供給される検知対象物の物理特性情報を蓄積する蓄積手段とを有するものである。
【手続補正４】
【補正対象書類名】明細書
【補正対象項目名】００１３
【補正方法】変更
【補正の内容】
【００１３】
この発明の検知装置は、複数のセンサユニットとこれらのセンサユニットとシリアル伝送路により接続される制御部とからなるものにおいて、上記センサユニットが、検知対象物から得られる種々の物理特性情報の中の１つを得る取得手段と、この取得手段により検知対象物ごとに得られる物理特性情報により検知対象物を判定した第１の判定結果あるいはリジェクト等の不確定結果を上記物理特性情報よりも少ない情報量で出力する第１の判定手段と、上記制御部から供給される物理特性情報の記憶要求に基づいて上記不確定結果に対応する検知対象物の物理特性情報を少なくとも１つ記憶する記憶手段と、上記制御部から供給される不確定結果に対応する検知対象物の物理特性情報の送信要求に基づいて上記記憶手段に記憶されている不確定結果に対応する検知対象物の物理特性情報を上記御部へ送信する送信手段とを有し、上記制御部が、上記複数のセンサユニットからの検知対象物ごとの複数の第１の判定結果により対応する検知対象物を総合判定した第２の判定結果を出力する第２の判定手段と、上記複数のセンサユニットの少なくとも１つからリジェクト等の不確定結果が供給されたことを判断する判断手段と、この判断手段により不確定結果の供給が判断された際に、上記各センサユニットに上記物理特性情報の記憶を要求する第１の要求手段と、上記各センサユニットに不確定結果に対応する検知対象物の物理特性情報の送信を要求する第２の要求手段と、この第２の要求手段に応答して上記各センサユニットから供給される検知対象物の物理特性情報を蓄積する蓄積手段とを有するものである。